(57)【要約】基部（１２）上の異なる位置間を移動可能な座席シェル（１４）を備えたチャイルドシート（１０）を開示する。座席シェル（１４）前端（３０）に設けた作動ハンドル（２６）に接続する施錠装置（３６）により座席シェル（１４）は作動ハンドル（２６）の通常非作動状態で基部（１２）に対する前記異なる位置の一つに固定され、作動ハンドル（２６）の作動で移動できる。優れた操作性と最適な操作便宜性を持つチャイルドシート（１０）とするために、作動ハンドル（２６）は、座席シェル（１４）前端（３０）に並行な回転軸（３２）を中心として回転できると共に、移動ハンドルを形成する回転ハンドル（２８）として構成される。【選択図】図１
2007533513.tif 000002
【特許請求の範囲】
【請求項１】
基部（１２）上を前後に、異なる位置（着座位置、リクライニング位置、中間（諸）位置）間を移動可能な座席シェル（１４）を備え、座席シェル（１４）前端（３０）に設けた作動ハンドル（２６）を施錠装置（３６）に接続して、座席シェル（１４）を、作動ハンドル（２６）の通常非作動状態で、施錠装置により基部（１２）に対する前記異なる位置の一つに固定し、作動ハンドル（２６）の作動で移動させることができる、チャイルドシートにおいて、作動ハンドル（２６）を、座席シェル（１４）前端（３０）に少なくともほぼ平行な回転軸（３２）を中心に、通常施錠位置から解錠位置へと、更にはそこから復元ばね装置により施錠位置へと戻るよう回転できる回転ハンドル（２８）として構成すると共に作動ハンドルが解錠位置で基部（１２）に対し座席シェル（１４）を移動させる移動ハンドルを形成し、基部（１２）に設けたスロット付ガイド装置（２２）が有する少なくとも一つのスロットガイド路（２４）に、基部（１２）に対する座席シェル（１４）の前記異なる位置のためのラッチ掛け凹み（３８，４０，４２）を形成し、回転ハンドル（２８）に接続する施錠装置（３６）の接続装置（３４）が前記少なくとも一つのスロットガイド路（２４）に沿ってガイドされる少なくとも一つのガイド素子（４４）と、前記ラッチ掛け凹み（３８，４０，４２）にマッチした少なくとも一つのラッチ掛け素子（４６）を有することを特徴とするチャイルドシート。
【請求項２】
回転ハンドル（２８）を、座席シェル（１４）前端（３０）に形成した切欠部に設けることを特徴とする、請求項１に記載のチャイルドシート。
【請求項３】
接続装置（３４）が、前記少なくとも一つのガイド素子（４４）及び前記少なくとも一つのラッチ素子（４６）を有する第１接続部（４８）と、回転ハンドル（２８）から堅く突出する第２接続部（５０）とを有し、前記接続部を相互に旋回可能に接続することを特徴とする、請求項１に記載のチャイルドシート。
【請求項４】
第１接続部（４８）を板素子（５２）として構成し、第２接続部（５０）を回転ハンドル（２８）両端から堅く突出する２つの側部タブ（５４）で形成することを特徴とする、請求項３に記載のチャイルドシート。
【請求項５】
復元ばね装置が接続装置（３４）に割り当てた少なくとも１つのばね素子を有することを特徴とする、請求項１に記載のチャイルドシート。
【請求項６】
復元ばね装置が回転ハンドル（２８）に割り当てた少なくとも１つのばね素子を有することを特徴とする、請求項１に記載のチャイルドシート。
【請求項７】
基部（１２）が２つのフレーム側部（１８）を有し、該フレーム側部の後方が上方に突出して上端に座席シェル（１４）の枢支軸（１６）を構成し、該枢支軸を中心に座席シェル（１４）が前記異なる位置間を旋回できることを特徴とする請求項１乃至６のいずれかに記載のチャイルドシート。
【発明の詳細な説明】
【技術分野】
【０００１】
本発明は、基部上を前後に、異なる位置（着座位置、リクライニング位置、中間（諸）位置）間を移動可能な座席シェルを備え、座席シェル前端に設けた作動ハンドルを施錠装置に接続して、座席シェルを、作動ハンドルの通常非作動状態で、施錠装置により基部に対する前記異なる位置の１つに固定し、作動ハンドルの作動で移動させることができる、チャイルドシートに関する。
【背景技術】
【０００２】
この種の公知チャイルドシートの場合、解錠装置は、基部に対する座席シェルの移動が片手だけではほとんど不可能か、大変な努力なしでは不可能なように構成されている。従って、この公知チャイルドシートの操作の利便性については、望むべき点がいくつか残されている。
【特許文献１】ＰＣＴ特許公開広報９６／０１７４８  Ａ１
【特許文献２】ドイツ実用新案９４  ２１  ４３２  Ｕ１
【特許文献３】ドイツ実用新案２００  １７  ４４８  Ｕ１
【０００３】
特許文献１は、基部上を前後に、異なる位置（着座位置、リクライニング位置、中間（諸）位置）間を移動可能な座席シェルを備え、チャイルドシート前端に設けた作動ハンドルを施錠装置に接続して、座席シェルを、作動ハンドルの通常非作動状態で、施錠装置により基部に対する前記異なる位置の一つに固定し、作動ハンドルの作動で移動させることができる、チャイルドシートを開示している。そこでは、作動ハンドルを回転ハンドルとして構成し、向きを座席シェル前端と並行にし、通常施錠位置から解錠位置へと、更にはそこから復元ばね装置により施錠位置へと戻るよう移動させることができる。
【０００４】
特許文献２は、基部と、基部に対して移動・固定可能な座席シェルとを備えたチャイルドシートを開示している。座席シェル又は基部は、座席シェルを基部上でガイドする少なくとも一つの一体形成したガイド突起を有する。基部に又は座席シェルに直接形成した少なくとも一つのガイド溝はガイド突起を受けるために設けたものであり、座席シェルが基部に対して相対移動する際、ガイド突起をガイド溝内に案内する。座席シェルは基部上に直接保持する。
【０００５】
特許文献３は、フレーム、座席及びブロッキング装置を有するチャイルドシートを開示する。フレームは底部に突起を、両側にブロッキング装置用の丸凹みをそれぞれ有し、ブロッキング装置の、隣にはラッチ掛け溝を、底部には第１及び第２湾曲溝を設ける。第１湾曲溝は上死点及び下死点位置でそれぞれ上下の位置決め溝に接続する。座席下側は前後の枢支レバーを有し、前枢支レバーの端は第２湾曲溝を介しブロック装置に連結し、後枢支レバーの端はフレームに連結する。ブロッキング装置が有する回転円板は丸凹みに収容される。
【発明の開示】
【発明が解決しようとする課題】
【０００６】
本発明は、当初に述べたタイプのチャイルドシートであって、構成が簡単で、簡単且つ努力なしに座席シェルを前後に、異なる位置間を移動させることができる、チャイルドシートを提供するという目的に基づいている。
【課題を解決するための手段】
【０００７】
本発明によれば、この目的は、当初に述べたタイプのチャイルドシートの場合に、作動ハンドルを、座席シェル前端に少なくともほぼ並行な回転軸を中心に、通常施錠位置から解錠位置へと、更にはそこから復元ばね装置により施錠位置へと戻すよう回転できる回転ハンドルとして構成すると共に作動ハンドルが解錠位置で基部に対し座席シェルを移動させる操作及び移動ハンドルを形成し、基部に設けたスロット付ガイド装置が有する少なくとも一つのスロットガイド路に、基部に対する座席シェルの前記異なる位置のためのラッチ掛け凹みを形成し、回転ハンドルに接続する施錠装置の接続装置が前記少なくとも一つのスロットガイド路に沿ってガイドされる少なくとも一つのガイド素子と、前記ラッチ掛け凹みにマッチした少なくとも一つのラッチ掛け素子を有することで達成される。
【０００８】
基部に対する座席シェルの解錠を回転により回転ハンドルを解錠位置にして行う回転ハンドルとして且つ基部に対し座席シェルを移動させる操作ハンドルとして、作動ハンドルを構成することにより、本発明によるチャイルドシートの簡単な操作性が生じる。
【０００９】
本発明によるチャイルドシートの場合、回転ハンドルを座席シェル前端に形成した切欠部に設けると有利であることが判明している。この切欠部はチャイルドシートのカバーにより少なくとも部分的に覆うことができる。
【００１０】
本発明によれば、少なくとも一つのスロットガイド路を有するスロット付ガイド装置を基部に設け、スロットガイド路に、基部に対する座席シェルの前記異なる位置のためのラッチ掛け凹みを構成し、回転ハンドルに接続される施錠装置の接続装置が、前記少なくとも一つのスロットガイド路に沿ってガイドされる少なくとも一つのガイド素子とラッチ掛け凹みにマッチした少なくとも一つのラッチ掛け素子を有する。
【００１１】
この場合、接続装置は、前記少なくとも一つのガイド素子及び前記少なくとも一つのラッチ掛け素子を有する第１接続部と、回転ハンドルから堅く突出した第２接続部とを有することができ、それら接続部を相互に旋回可能に接続する。旋回可能な接続とするために、第１接続部の反スロットガイド装置側の端部に細長孔を形成し、第２接続部から突出するスピンドルをそれに通すことができる。
【００１２】
第１接続部を板素子として構成し、第２接続部を回転ハンドルの両端から堅く突出する２つの側部タブで形成すると好都合である。このタイプの構成により、所望の、機械的安定性と操作上の信頼性が得られるという利点がある。
【００１３】
本発明によるチャイルドシートの場合、復元ばね装置は接続装置に割り当てる少なくとも一つのばね素子を有することができる。同様に、復元ばね装置は回転ハンドルに割り当てる少なくとも一つのばね素子を有することができる。
【００１４】
基部が２つのフレーム側部を有し、それらのフレーム側部の後方が上方に突出して上端に座席シェルの枢支軸を構成し、該枢支軸を中心に座席シェルが前記異なる位置間を旋回できると好都合であることが判明している。直前に挙げたタイプの構成は、座席シェルの回転できる枢支軸が、座席シェルを解錠して移動させる回転ハンドルから大きく離れているため、所定トルクの座席シェルについて、移動力がそれ相応に小さいというかなりの好都合を提供する。このことは、本発明によるチャイルドシートの場合には座席シェルを移動させる努力が比較的少なくて済むことを意味する。従って、大きな操作上の便宜があり、好適である。
【００１５】
更なる詳細、特徴及び利点は、本発明によるチャイルドシートの本質的な詳細についての以下の記述から明らかである。
【発明を実施するための最良の形態】
【００１６】
図１は、チャイルドシート１０とその本質的な細部の構成を側面図で概略的に示す。チャイルドシート１０は基部１２を有し、その上を座席シェル１４が前後に、着座位置、リクライニング位置及び少なくとも一つの中間位置、等の異なる位置間を移動できる。座席シェル１４は基部１２に対し枢支軸１６を中心に前記位置間を移動できる。基部１２は、後方で上方に突出する、２つのフレーム側部１８を有する。枢支軸１６をフレーム側部１８の上端２０に設ける。
【００１７】
基部１２から突出するスロット付ガイド装置２２により、基部１２に対する座席シェル１４の異なる位置が画成される。スロット付ガイド装置２２は、側方に相互離間した２つの一致するスロットガイド路２４を有する。スロットガイド路２４は円弧状に構成する。スロットガイド路２４の湾曲の中心点は枢支軸１６に位置する。
【００１８】
図２乃至図５に関して、以下、スロット付ガイド装置２２を更に詳細に説明する。
【００１９】
基部１２に対して座席シェル１４を移動させるために、チャイルドシート１０は回転ハンドル２８として構成される作動ハンドル２６を有する。回転ハンドル２８は座席シェル１４前端３０に平行な回転軸３２を中心に回転できる。図２乃至図５に示すように、回転ハンドル２８は接続装置３４によりスロット付ガイド装置２２に接続される。回転ハンドル２８、接続装置３４及びスロット付ガイド装置２２が、チャイルドシート１０の施錠装置３６を形成する。図１では、接続装置３４の図示を省いてある。
【００２０】
側面図である図２が示す施錠装置３６は、回転ハンドル２８、スロット付ガイド装置２２間に接続装置３４を有する。スロット付ガイド装置２２のスロットガイド路２４は、ラッチ掛け凹み３８，４０及び４２を有するよう構成される。チャイルドシート１０の着座位置（図１参照）は、前記２つの側部の、一致するラッチ掛け凹み３８により画成する。基部１２に対する座席シェル１４のリクライニング位置は、ラッチ掛け凹み４２により画成する。座席シェル１４の着座位置、リクライニング位置間の中間位置はラッチ掛け凹み４０により画成する。接続装置３４は、前記２つの側部スロットガイド路２４に沿いガイドされる２つの側部ガイド素子４４と、２つの側方で対向するラッチ掛け凹み３８，４０，４２に合って明確にガイド素子から離間したラッチ素子４６とを有する。図４において、前記２つの側方で対向離間したラッチ素子４６をラッチ掛け凹み３８にラッチ掛けすることにより、チャイルドシート１０の基部素子１２に対し座席シェル１４を着座位置に固定する。
【００２１】
接続装置３４は、第１接続部４８と第２接続部５０とを有する。ガイド素子４４とラッチ素子４６は、板素子５２として構成される第１接続部４８に設ける。第２接続部５０は回転ハンドル２８両端から堅く突出した２つの側部タブ５４で形成する。
【００２２】
第１接続部４８の板素子５２に構成する細長孔５６へと、側部タブ５４を相互接続するスピンドル５８が突出する。この結果、回転ハンドル２８からスロット付ガイド装置２２への接続が関節式接続となる。
【００２３】
図２は、着座位置の保持位置にある施錠装置３６を示す。対照的に、図３は着座位置のラッチ掛け位置にある施錠装置３６を示す。この位置が生じるのは、回転ハンドルを回転軸３２を中心に時計方向（図３に、回転軸３２と同心の湾曲矢印６０で示す）に旋回させることによる。この解錠位置では、座席シェル１４は思うままに移動できる。この目的のための回転ハンドル２８の操作には努力はいらない。即ち、回転ハンドル２８を押し引きして、座席シェル１４を着座位置からラッチ掛け凹み４０で画成される中間位置へと又はラッチ掛け凹み４２で画成されるリクライニング位置又は着座位置へと移動させる。このような移動の後に回転ハンドル２８を再び解除すると、施錠装置３８は復元ばね装置（図示せず）の助けで再び通常施錠位置へと戻る。
【００２４】
図４は、施錠リクライニング位置にある施錠装置３６を示す。対照的に、図５は、リクライニング位置の解錠位置にある施錠装置３６を示す。図１乃至図５において同じ細部はいずれの場合も同じ参照番号で示してあるので、図面の全てに関して各場合の詳細の全てを記述する必要はない。
【図面の簡単な説明】
【００２５】
【図１】チャイルドシートの構成とその本質的な細部を側面図で概略的に示す。
【図２】座席シェルに設けた回転ハンドルと基部に留付けたスロット付ガイド装置と間の接続装置の構成を着座位置のラッチ掛け位置において側面図で示す。
【図３】着座位置のラッチ外し位置における接続装置を示す、図２に類似の図を示す。
【図４】リクライニング位置のラッチ掛け位置における接続装置を示す、図２及び図３に類似の図である。
【図５】リクライニング位置のラッチ外し位置における接続装置を示す、図２乃至図４に類似の側面図である。
【図１】
2007533513.tif 000003
【図２】
2007533513.tif 000004
【図３】
2007533513.tif 000005
【図４】
2007533513.tif 000006
【図５】
2007533513.tif 000007
【手続補正書】
【提出日】平成17年4月29日(2005.4.29)
【手続補正１】
【補正対象書類名】特許請求の範囲
【補正対象項目名】全文
【補正方法】変更
【補正の内容】
【特許請求の範囲】
【請求項１】
基部（１２）上を前後に、異なる位置（着座位置、リクライニング位置、中間（諸）位置）間を移動可能な座席シェル（１４）を備え、座席シェル（１４）前端（３０）に設けた作動ハンドル（２６）を施錠装置（３６）に接続して、座席シェル（１４）を、作動ハンドル（２６）の通常非作動状態で、施錠装置により基部（１２）に対する前記異なる位置の一つに固定し、作動ハンドル（２６）の作動で移動させることができ、作動ハンドル（２６）が回転軸（３２）を中心に通常施錠位置から解錠位置へと、更にはそこから復元ばね装置により施錠位置へと戻すよう回転できると共に作動ハンドルが基部（１２）に対し座席シェル（１４）を移動させる解錠位置にある移動ハンドルを形成する、チャイルドシートにおいて、作動ハンドル（２６）を、座席シェル（１４）前端（３０）に少なくともほぼ平行な回転軸（３２）を中心に通常施錠位置から解錠位置へと回転できる回転ハンドル（２８）として構成すること、及び、基部（１２）に設けたスロット付ガイド装置（２２）が有する少なくとも一つのスロットガイド路（２４）に、基部（１２）に対する座席シェル（１４）の前記異なる位置のためのラッチ掛け凹み（３８，４０，４２）を形成し、回転ハンドル（２８）に接続する施錠装置（３６）の接続装置（３４）が前記少なくとも一つのスロットガイド路（２４）に沿ってガイドされる少なくとも一つのガイド素子（４４）と、ラッチ掛け凹み（３８，４０，４２）にマッチした少なくとも一つのラッチ素子（４６）を有することを特徴とするチャイルドシート。
【請求項２】
回転ハンドル（２８）を、座席シェル（１４）前端（３０）に形成した切欠部に設けることを特徴とする、請求項１に記載のチャイルドシート。
【請求項３】
接続装置（３４）が、前記少なくとも一つのガイド素子（４４）及び前記少なくとも一つのラッチ素子（４６）を有する第１接続部（４８）と、回転ハンドル（２８）から堅く突出する第２接続部（５０）とを有し、前記接続部を相互に旋回可能に接続することを特徴とする、請求項１に記載のチャイルドシート。
【請求項４】
第１接続部（４８）を板素子（５２）として構成し、第２接続部（５０）を回転ハンドル（２８）両端から堅く突出する２つの側部タブ（５４）で形成することを特徴とする、請求項３に記載のチャイルドシート。
【請求項５】
復元ばね装置が接続装置（３４）に割り当てた少なくとも１つのばね素子を有することを特徴とする、請求項１に記載のチャイルドシート。
【請求項６】
復元ばね装置が回転ハンドル（２８）に割り当てた少なくとも１つのばね素子を有することを特徴とする、請求項１に記載のチャイルドシート。
【請求項７】
基部（１２）が２つのフレーム側部（１８）を有し、該フレーム側部の後方が上方に突出して上端に座席シェル（１４）の枢支軸（１６）を構成し、該枢支軸を中心に座席シェル（１４）が前記異なる位置間を旋回できることを特徴とする請求項１乃至６のいずれかに記載のチャイルドシート。
【国際調査報告】
2007533513.tif 000008
2007533513.tif 000009
2007533513.tif 000010
2007533513.tif 000011
2007533513.tif 000012
2007533513.tif 000013